(57)【要約】【課題】通信を行う通信端末装置で、経年変化による周波数の誤差を自動的に検出して補正する。【解決手段】発振手段２０１が通信のタイミングを生成するために使用される周波数の信号を発振し、制御値供給手段２０６が発振信号の周波数を制御する制御値を発振手段に対して供給し、カウント手段１０１が発振信号に基づいてカウントを行い、発振時刻情報取得手段１０２がカウントに基づいて時刻の情報を取得し、ＧＰＳ手段１０３がＧＰＳの信号を受信し、ＧＰＳ時刻情報取得手段１０３が受信信号に基づいて時刻の情報を取得し、時刻差検出手段１０４が両者の時刻の情報の差を検出し、補正手段１０６が差に基づいて制御値供給手段により供給する制御値を補正する。【選択図】  図１
2008278422.tif 000002
【特許請求の範囲】
【請求項１】
通信を行う通信端末装置において、
通信のタイミングを生成するために使用される周波数の信号を発振する発振手段と、
前記発振手段により発振する信号の周波数を制御するための制御値を前記発振手段に対して供給する制御値供給手段と、
前記発振手段により発振された信号に基づいてカウントを行うカウント手段と、
前記カウント手段によるカウントに基づいて時刻の情報を取得する発振時刻情報取得手段と、
ＧＰＳの信号を受信するＧＰＳ手段と、
前記ＧＰＳ手段により受信された信号に基づいて時刻の情報を取得するＧＰＳ時刻情報取得手段と、
前記発振時刻情報取得手段により取得された時刻の情報と前記ＧＰＳ時刻情報取得手段により取得された時刻の情報との差を検出する時刻差検出手段と、
前記時刻差検出手段により検出された差に基づいて前記制御値供給手段により前記発振手段に対して供給する制御値を補正する補正手段と、
を備えたことを特徴とする通信端末装置。
【請求項２】
請求項１に記載の通信端末装置において、
当該通信端末装置は、無線通信を行う移動無線システムの無線端末装置であり、
基地局装置と無線通信を行う第１モードの無線通信手段と、
他の無線端末装置と無線通信を行う第２モードの無線通信手段と、を備え、
前記第２モードの無線通信手段により他の無線端末装置と無線通信を行う場合に、前記補正手段により前記制御値供給手段により前記発振手段に対して供給する制御値を補正する、
ことを特徴とする通信端末装置。
【発明の詳細な説明】
【技術分野】
【０００１】
本発明は、例えば、デジタル移動無線通信システム、特に基地局のような基準となる無線局を持たない簡易無線システムの通信端末装置における周波数の経年変化対策に関する。
【背景技術】
【０００２】
図２には、基地局を持たない無線システム（例えば、簡易無線システム）の一例として、複数の無線機（例えば、簡易無線局）１Ａ、１Ｂ、１Ｃを示してある。
本例の無線システムでは、基地局を持たず、同一の周波数を使用して１対Ｎ（Ｎは１以上の整数）の無線機１Ａ、１Ｂ、１Ｃの間で無線により通信（例えば、通話）を行う。
【０００３】
図３（ａ）、（ｂ）には、現在において規格化が行われている４値ＦＳＫ（Ｆｒｅｑｕｅｎｃｙ  Ｓｈｉｆｔ  Ｋｅｙｉｎｇ）について、図３（ａ）に同期バースト（ＳＢ：Ｓｙｎｃｈｒｏｎｏｕｓ  Ｂｕｒｓｔ）のフレームの構成例を示してあり、図３（ｂ）に通信チャネル（ＴＣＨ：Ｔｒａｆｆｉｃ  Ｃｈａｎｎｅｌ）のフレームの構成例を示してある。
【０００４】
図３（ａ）に示されるように、同期バーストのフレームは、プリアンブル（Ｐ：２４ビット以上）、同期ワード（ＳＷ：２０ビット）、無線情報チャネル（ＲＩＣＨ：１６ビット）、低速付随制御チャネル（ＳＡＣＣＨ：６０ビット）、パラメータ情報チャネル（ＰＩＣＨ：１４４ビット）、未定義（１４４ビット）から構成されている。
図３（ｂ）に示されるように、通信チャネルのフレームは、同期ワード（ＳＷ：２０ビット）、無線情報チャネル（ＲＩＣＨ：１６ビット）、低速付随制御チャネル（ＳＡＣＣＨ：６０ビット）、通信チャネル部（ＴＣＨ部：１４４ビット）、通信チャネル部（ＴＣＨ部：１４４ビット）から構成されている。
【０００５】
ここで、プリアンブルは、通信開始時に送出される同一のパターンが繰り返される信号であり、シンボル同期に用いられる。同期ワードは、同期バースト（ＳＢ）及び通信チャネル（ＴＣＨ）の両方に共通なパターンの信号であり、フレーム同期に用いられる。無線情報チャネル（ＲＩＣＨ）、低速付随制御チャネル（ＳＡＣＣＨ）及びパラメータ情報チャネル（ＰＩＣＨ）は、通信の制御情報を伝送する。通信チャネル部（ＴＣＨ部）は、音声やデータを伝送する。
【０００６】
図４には、通信時におけるフレームの送出順序の一例を示してある。
本例では、プリアンブル（Ｐ）が送出された後に、同期バースト（ＳＢ）のフレーム（８０ｍｓ）が送出され、その後、複数の通信チャネル（ＴＣＨ）のフレーム（それぞれ８０ｍｓ）が送出される。
例えば、図２に示されるように、無線機１Ａでプレスが行われて通信を開始すると、まず、プリアンブルが送出され、その後にＳＢが１フレーム送出された後、ＴＣＨのフレームが終話まで送出される。そして、通信相手となる無線機１Ｂ及び無線機１Ｃにおいて、これらの信号が受信され、音声やデータが伝送される。
【０００７】
図５には、各無線機１Ａ、１Ｂ、１Ｃの構成例を示してある。本例では、各無線機１Ａ、１Ｂ、１Ｃは同様な構成を有している。
本例の各無線機１Ａ、１Ｂ、１Ｃは、ＶＣＴＣＸＯ（Ｖｏｌｔａｇｅ  Ｃｏｎｔｒｏｌｌｅｄ  Ｔｅｍｐｅｒａｔｕｒｅ  Ｃｏｍｐｅｎｓａｔｅｄ  Ｃｒｙｓｔａｌ  Ｏｓｃｉｌｌａｔｏｒ）２０１と、タイミング生成部２０２と、高周波部２０３と、ベースバンド処理部２０４と、送受信アンテナ２０５と、制御値記憶部（ＶＣＴＣＸＯの制御電圧の記憶部）２０６と、ＤＡＣ（Ｄｉｇｉｔａｌ  Ａｎａｌｏｇ  Ｃｏｎｖｅｒｔｅｒ）２０７を備えている。
【０００８】
各無線機１Ａ、１Ｂ、１Ｃにおいて行われる送受信処理の動作の一例を示す。本例では、無線機１Ａから無線機１Ｂ、１Ｃへ伝送を行う場合を示す。
送信側となる無線機１Ａにおいてプレスが行われた場合における動作を示す。
プレスが行われると、制御値記憶部２０６が記憶したＶＣＴＣＸＯ２０１を希望周波数で動作させるためにＤＡＣ２０７へ与える値（デジタル値）を、ＤＡＣ２０７へ送出する。ＤＡＣ２０７は、入力された値に相当する電圧（アナログ）をＶＣＴＣＸＯ２０１へ出力する。ＶＣＴＣＸＯ２０１は、与えられた電圧に対応する周波数をタイミング生成部２０２及び高周波部２０３へ出力する。
【０００９】
タイミング生成部２０２は、ＶＣＴＣＸＯ２０１から与えられた周波数の情報に基づいて、１シンボルの時間（例えば、４１６．７μｓ）や１フレームの時間（例えば、８０ｍｓ）といったタイミング情報を生成して、ベースバンド処理部２０４へ出力する。ベースバンド処理２０４は、入力されたタイミング情報に基づいて、図３（ａ）、（ｂ）に示されるようなシンボル及びフレームの情報を作成して、変調処理を行った信号を高周波部２０３へ出力する。
高周波部２０３は、ＶＣＴＣＸＯ２０１から与えられた周波数の情報に基づいて搬送波周波数信号を作成して、ベースバンド処理部２０４から与えられた信号と混合し、これにより得られた信号を送受信アンテナ２０５から無線により送信する。
【００１０】
一方、受信側となる無線機１Ｂや無線機１Ｃにおける動作を示す。
制御値記憶部２０６が記憶したＶＣＴＣＸＯ２０１を希望周波数で動作させるためにＤＡＣ２０７へ与える値（デジタル値）を、ＤＡＣ２０７へ送出する。ＤＡＣ２０７は、入力された値に相当する電圧（アナログ）をＶＣＴＣＸＯ２０１へ出力する。ＶＣＴＣＸＯ２０１は、与えられた電圧に対応する周波数をタイミング生成部２０２及び高周波部２０３へ出力する。
【００１１】
高周波部２０３は、ＶＣＴＣＸＯ２０１から与えられた周波数の情報に基づいて搬送波周波数信号を作成して、送受信アンテナ２０５により受信された受信信号と混合することにより、ベースバンド信号を生成し、生成したベースバンド信号をベースバンド処理部２０４へ出力する。
タイミング生成部２０２は、ＶＣＴＣＸＯ２０１から与えられた周波数の情報に基づいて、１シンボルの時間（例えば、４１６．７μｓ）や１フレームの時間（例えば、８０ｍｓ）といったタイミング情報を生成して、ベースバンド処理部２０４へ出力する。
ベースバンド処理部２０４は、タイミング生成部２０２により生成されたタイミング情報に基づいて、高周波部２０３から入力されたベースバンド信号から生成したタイミング情報との誤差を求めて、シンボル及びフレームの情報を復元して、音声やデータを得る。
【００１２】
【特許文献１】特開２００２−３０５４４２号公報
【発明の開示】
【発明が解決しようとする課題】
【００１３】
図６には、ＶＣＴＣＸＯ２０１の制御電圧（横軸ｘ）と出力周波数（縦軸ｆ）との関係の一例を示してある。
通常は、図６に示される出荷直後の特性のように、一定の電圧を与えれば求める周波数を得ることができるが、時間が経過することによって、経年変化後Ａの特性や経年変化後Ｂの特性のように、特性が変化してしまう。このような経年変化は避けられないものである（例えば、メーカ標準値で±１ｐｐｍ／年前後）。
図７には、ＶＣＴＣＸＯ２０１の経年変化の一例を示してある。横軸は時間を表しており、縦軸は周波数を表している。図７に示されるように、時間が経過するにつれて、希望する周波数に対して実際に得られる周波数に誤差が生じる。
【００１４】
図２〜図７に示されるようなシステムでは、送信時や受信待ち受け時には、ＶＣＴＣＸＯ２０１を工場出荷時の制御値で常に制御しているため、経年変化による周波数誤差が発生した場合には、送信周波数にずれが発生し、待ち受け周波数にもずれが発生してしまう。また、フレームタイミングやシンボルタイミングの生成にもずれが発生してしまう。
【００１５】
このような無線機１Ａ、１Ｂ、１Ｃの間で通信を行うと、最悪の場合には、通信が成立しない可能性がある。このような周波数のずれを補正するためには、定期点検などを行って、制御値を適正値に修正するといったメンテナンス作業が必要になり、ユーザにとってもメーカにとっても大きな負担になっていた。
本発明は、このような従来の事情に鑑み為されたもので、経年変化による周波数の誤差を自動的に検出して補正することができる通信端末装置を提供することを目的とする。
【課題を解決するための手段】
【００１６】
上記目的を達成するため、本発明では、通信を行う通信端末装置において、次のような構成とした。
すなわち、発振手段が、通信のタイミングを生成するために使用される周波数の信号を発振する。制御値供給手段が、前記発振手段により発振する信号の周波数を制御するための制御値を前記発振手段に対して供給する。カウント手段が、前記発振手段により発振された信号に基づいて、カウントを行う。発振時刻情報取得手段が、前記カウント手段によるカウントに基づいて、時刻の情報を取得する。ＧＰＳ手段が、ＧＰＳの信号を受信する。ＧＰＳ時刻情報取得手段が、前記ＧＰＳ手段により受信された信号に基づいて、時刻の情報を取得する。時刻差検出手段が、前記発振時刻情報取得手段により取得された時刻の情報と前記ＧＰＳ時刻情報取得手段により取得された時刻の情報との差を検出する。補正手段が、前記時刻差検出手段により検出された差に基づいて、前記制御値供給手段により前記発振手段に対して供給する制御値を補正する。
【００１７】
従って、発振周波数に基づいて取得される時刻の情報とＧＰＳ機能により取得される時刻の情報とが比較されて、例えば、これらの誤差が（実用上で有効な程度で）無くなるように、前記発振周波数（前記発振周波数を制御するための制御値）が補正されるため、経年変化などによる周波数の誤差を検出して補正することができる。
ここで、通信のタイミングとしては、例えば、送信周波数や、受信周波数（待ち受け周波数）や、シンボルタイミングや、フレームタイミングなどがある。
【００１８】
本発明に係る通信端末装置では、一構成例として、次のような構成とした。
すなわち、当該通信端末装置は、無線通信を行う移動無線システムの無線端末装置である。
また、当該通信端末装置では、第１モードの無線通信手段が基地局装置と無線通信を行い、第２モードの無線通信手段が他の無線端末装置と無線通信を行う。そして、前記第２モードの無線通信手段により他の無線端末装置と無線通信を行う場合に、前記補正手段により前記制御値供給手段により前記発振手段に対して供給する制御値を補正する。
【００１９】
従って、例えば、無線端末装置と基地局装置との間で無線通信を行うときにはこれらの間で通信のタイミングを合わせることが可能であるが、複数の無線端末装置により無線通信（例えば、１対Ｎの無線通信）を行うときには経年変化などにより通信のタイミングに誤差が発生するような場合においても、各無線端末装置において、ＧＰＳの機能を用いて、周波数の誤差を検出して補正することができる。
【発明の効果】
【００２０】
以上説明したように、本発明に係る通信端末装置によると、発振周波数に基づいて取得される時刻の情報とＧＰＳ機能により取得される時刻の情報との誤差に基づいて前記発振周波数（前記発振周波数を制御するための制御値）を補正するようにしたため、経年変化などによる周波数の誤差を検出して補正することができる。
【発明を実施するための最良の形態】
【００２１】
本発明に係る実施例を図面を参照して説明する。
なお、本例では、図２に示されるような無線システム、図３（ａ）、（ｂ）に示されるようなフレームの構成、図４に示されるようなフレームの送出順序、図６に示されるようなＶＣＴＣＸＯ２０１の制御電圧と出力周波数との関係、図７に示されるようなＶＣＴＣＸＯ２０１の経年変化、といった特徴を有するシステムに本発明を適用した場合を示す。
また、本例では、図２に示される無線機１Ａ、１Ｂ、１Ｃや、図５に示される各処理部２０１〜２０７について、説明の便宜上から、概略的に同様なものについては同一の符号を付して説明するが、本発明を不要に限定する意図は無い。
【００２２】
まず、本例の無線機１Ａ、１Ｂ、１Ｃの特徴点を説明する。
本例の各無線機１Ａ、１Ｂ、１Ｃでは、自局のＶＣＴＣＸＯ２０１の周波数精度を規格内に保つために、ＧＰＳ（Ｇｌｏｂａｌ  Ｐｏｓｉｔｉｏｎｉｎｇ  Ｓｙｓｔｅｍ）を利用する。ＧＰＳの時間情報は±１μｓの精度を持っているため、無線機１Ａ、１Ｂ、１ＣのＶＣＴＣＸＯ２０１の周波数でカウントした時間情報と比較することにより、ＶＣＴＣＸＯ２０１の周波数ズレを時間情報として検出することが可能となる。そして、検出された時間情報に基づいて、ＶＣＴＣＸＯ２０１の新たな制御電圧を求めて記憶させることにより、補正処理を実現することが可能となる。
【００２３】
また、補正を行う周期としては、ＶＣＴＣＸＯ２０１は１年間で約±１ｐｐｍのズレが生じる可能性があり、例えば従来例のフレーム構成を有する現在において規格化中の４値ＦＳＫの簡易無線システムでは、送受信周波数のズレの許容値が±０．９ｐｐｍとなっており、フレームやシンボルタイミングのズレの許容値が±５ｐｐｍとなっており、送受信周波数の方が厳しい条件化にあり、最長でも１年間以内には補正処理を行う必要がある。しかしながら、他の構成例として、ＧＰＳの時間情報の精度である±１μｓに比べて十分に大きな時間差が得られれば、そのタイミングで補正処理を行っても構わない。
【００２４】
図１には、本発明の一実施例に係る周波数補正機能を有する各無線機１Ａ、１Ｂ、１Ｃの構成例を示してある。本例では、各無線機１Ａ、１Ｂ、１Ｃは同様な構成を有している。
本例の各無線機１Ａ、１Ｂ、１Ｃは、ＶＣＴＣＸＯ（Ｖｏｌｔａｇｅ  Ｃｏｎｔｒｏｌｌｅｄ  Ｔｅｍｐｅｒａｔｕｒｅ  Ｃｏｍｐｅｎｓａｔｅｄ  Ｃｒｙｓｔａｌ  Ｏｓｃｉｌｌａｔｏｒ）２０１と、タイミング生成部２０２と、高周波部２０３と、ベースバンド処理部２０４と、送受信アンテナ２０５と、制御値記憶部（ＶＣＴＣＸＯの制御電圧の記憶部）２０６と、ＤＡＣ（Ｄｉｇｉｔａｌ  Ａｎａｌｏｇ  Ｃｏｎｖｅｒｔｅｒ）２０７を備えている。
なお、これらの処理部２０１〜２０７により行われる送受信処理の動作については、例えば図５に示されるものと概略的に同様であるため、本例では、詳しい説明を省略する。
【００２５】
また、本例の各無線機１Ａ、１Ｂ、１Ｃは、カウンタ１０１と、時刻変換処理部１０２と、ＧＰＳ１０３と、差分計算処理部１０４と、補正制御部１０５と、誤差変換処理部１０６と、バッテリー（ＢＡＴＴ）１０７を備えている。
本例では、これらの処理部１０１〜１０６により行われる処理の動作や、図５に示される構成により行われる処理とは異なる処理の動作について、詳しく説明する。
【００２６】
ＶＣＴＣＸＯ２０１は、ＤＡＣ２０７から与えられた電圧に対応する周波数の信号をタイミング生成部２０２、高周波部２０３及びカウンタ１０１へ出力する。
カウンタ１０１は、ＶＣＴＣＸＯ２０１から入力された信号に基づいてカウント動作を行い、そのカウント情報を時刻変換処理部１０２へ出力する。
時刻変換処理部１０２は、カウンタ１０１からカウント情報が入力されるたびに、内部カウント値を１増加させて、それを時刻情報として差分計算処理部１０４へ出力する。
ＧＰＳ１０３は、ＧＰＳ機能により時刻情報を取得し、常に、その時刻情報を差分計算処理部１０４及び補正制御部１０５へ出力する。
【００２７】
ここで、バッテリー１０７は、時刻情報を常に更新するために必要な処理部である、ＶＣＴＣＸＯ２０１、カウンタ１０１、時刻変換処理部１０２、制御値記憶部２０６、ＤＡＣ２０７や、時刻情報を取得するためのＧＰＳ１０３や、更新計算を制御する補正制御部１０５へ電源を供給する。なお、本例では、これらの各処理部２０１、１０１、１０２、１０３、１０５、２０６、２０７には、本体の電源も供給されており、本体の電源とは別にバッテリー１０７の電源が供給されており、本体の電源がオフであるときにおいてもバッテリー１０７の電源により常に動作を続けることができる。
【００２８】
補正制御部１０５は、ＧＰＳ１０３から入力された時刻情報を常に監視して、所定の更新設定時間となった場合には、本体の電源の起動時に差分計算処理部１０４に対して動作開始を通知し、自己（補正制御部１０５）の更新設定時間を再設定する。
差分計算処理部１０４は、ＧＰＳ１０３から入力された時刻情報と、時刻変換処理部１０２から入力された時刻情報とをμｓ単位で比較して、その差分（誤差）を求め、その誤差情報を誤差変換処理部１０６へ出力する。
【００２９】
誤差変換処理部１０６は、差分計算処理部１０４から入力された誤差情報と、更新周期に基づいて、周波数誤差の情報を求める。そして、求めた周波数誤差情報に基づいて、現状におけるＶＣＴＣＸＯ２０１の制御値に対する補正値を求め、その補正値に基づいて更新した制御値（本例では、制御電圧）を制御値記憶部２０６へ送出する。
制御値記憶部２０６は、誤差変換処理部１０６により更新された制御値をメモリに記憶し、更新された制御値を使用してＶＣＴＣＸＯ２０１を制御することにより、ＶＣＴＣＸＯ２０１から周波数誤差を補正した信号を出力することが可能となる。
【００３０】
例えば、図６に示される経年変化後Ａの特性となっている場合には、出荷直後と同じ電圧を与えても希望周波数より高い周波数となってしまうため、カウンタ１０１によるカウントが速まり、時刻変換処理部１０２により得られる時刻がＧＰＳ１０３により得られる時刻よりも進んだ状態になることに基づいて、判定することができる。同様に、図６に示される経年変化後Ｂの特性となっている場合には、出荷直後と同じ電圧を与えても希望周波数より低い周波数となってしまうため、カウンタ１０１によるカウントが遅れ、時刻変換処理部１０２により得られる時刻がＧＰＳ１０３により得られる時刻よりも遅れた状態になることに基づいて、判定することができる。
【００３１】
ここで、周波数誤差の補正処理について、具体例を示す。
ＶＣＴＣＸＯ２０１は、制御値記憶部２０６からＤＡＣ２０７を介して入力される一定の制御値（電圧）に応じて、一定の周波数の信号をカウンタ１０１へ出力し、カウンタ１０１は入力された信号の周波数に応じてカウントを行うことで、例えば、実際には同一の時間が経過しても、周波数が速いほどカウントが速くなり、周波数が遅いほどカウントが遅くなる。時刻変換処理部１０２は、カウンタ１０１によるカウントの回数を時刻（本例では、或る時点からの経過時間）へ変換した値を取得する。
【００３２】
一方、ＧＰＳ１０３は、ＧＰＳ電波を受信して、時刻の情報を取得する。この時刻情報に基づいて、時刻変換処理部１０２により取得される時刻と比較するために開始時点を合わせた時刻（本例では、或る時点からの経過時間）を得ることができる。
そして、時刻変換処理部１０２により得られた時刻とＧＰＳ１０３により得られた時刻との差を差分計算処理部１０４により計算し、この差がゼロ（或いは、ゼロに近い値）となるように誤差変換処理部１０６が制御値記憶部２０６に記憶される制御値（例えば、図６に示されるような電圧と周波数との対応関係）を更新する。これにより、例えば、ＧＰＳ機能により得られる時刻の誤差範囲内で、ＶＣＴＣＸＯ２０１により発振される信号の周波数の精度を良好にすることができる。
【００３３】
ここで、周波数補正処理においては、例えば、ＶＣＴＣＸＯ２０１からの信号の周波数が希望通りである場合にはＧＰＳ１０３による時刻情報と（実用上で有効な範囲で）一致するように設定する。一例として、周波数補正処理が行われる場合には、ＶＣＴＣＸＯ２０１に設定する周波数を予め定められた一定値（ＧＰＳ機能による時刻と比較するために好ましい値）とすることができ、他の一例として、ＶＣＴＣＸＯ２０１からの信号の周波数（設定値）に応じて、カウンタ１０１や時刻変換処理部１０２が、ＧＰＳ１０３の時刻と比較できるように、カウント処理のタイミングや、時刻変換処理の変換式などを制御するようなことができる。
【００３４】
また、時刻変換処理部１０２及びＧＰＳ１０３によりそれぞれ時刻を計時して、これらの時刻を比較するタイミングとしては、例えば、一定の更新周期を用いることや、任意のタイミングを用いることができる。このようなタイミングは、例えば、補正制御部１０５により制御することができる。
時刻変換処理部１０２により得られる時刻の進みの速さとＧＰＳ１０３により得られる時刻の進みの速さとの間に差がある場合には、長い時間が経過するほど、両者の時刻の差が大きくなる。
【００３５】
以上のように、本例の無線機１Ａ、１Ｂ、１Ｃでは、デジタル移動無線において、ＧＰＳを用いることにより、経年変化による周波数誤差を補正する。このような周波数経年変化対策方式として、ＶＣＴＣＸＯ２０１の周波数に関してカウンタ１０１と時刻変換処理部１０２により時刻の情報を取得し、ＧＰＳ時刻情報との時刻情報誤差を求めて、これにより周波数誤差を求める。
また、更新周期を監視して、例えば周波数誤差が大きい場合の方が更新周期を短くするといったように、装置の状態により更新周期を可変することにより、より最適な周波数誤差補正を行うことも可能である。
従って、本例の無線機１Ａ、１Ｂ、１Ｃでは、経年変化による周波数誤差をＧＰＳの時刻情報により自動的に補正することができ、例えば、送受信不可となるような状態を軽減することが可能となる。
【００３６】
なお、本例の無線機（無線の通信端末装置）１Ａ、１Ｂ、１Ｃでは、タイミング生成部２０２や高周波部２０３により通信のタイミングを生成するために使用される周波数の信号を発振するＶＣＴＣＸＯ２０１の機能により発振手段が構成されており、制御値記憶部２０６がＤＡＣ２０７を介してＶＣＴＣＸＯ２０１に対して制御値を供給する機能により制御値供給手段が構成されており、カウンタ１０１の機能によりカウント手段が構成されており、時刻変換処理部１０２の機能により発振時刻情報取得手段が構成されており、ＧＰＳ１０３の機能によりＧＰＳ手段やＧＰＳ時刻情報取得手段が構成されており、差分計算処理部１０４の機能により時刻差検出手段が構成されており、誤差変換処理部１０６が制御値記憶部２０６に記憶される制御値を補正する機能により補正手段が構成されている。
【００３７】
また、例えば、移動無線システムにおいて、無線機（無線端末装置）１Ａ、１Ｂ、１Ｃが、基地局装置と無線通信を行う第１モードの無線通信手段と、他の無線機１Ａ、１Ｂ、１Ｃと無線通信を行う第２モードの無線通信手段を備えるような構成とすることもできる。
一構成例として、基地局と無線通信を行う第１モードの機能、及び、他の移動無線端末と無線通信を行う第２モードの機能を備えた移動無線システムの移動無線端末において、ＧＰＳ受信機能部と、発振周波数制御機能部と、前記ＧＰＳ受信機能部によるＧＰＳ受信に基づいて発振周波数を補正するための演算を行う演算機能部を備え、前記第２モードによる無線通信を行う場合に、前記演算機能部により演算した補正データに基づいて前記発振周波数制御機能部が出力する発振周波数を補正するような構成とすることができる。更に、前記演算機能部による演算は、当該移動無線端末の時刻情報と前記ＧＰＳ受信による時刻情報とを比較して得られる誤差情報に基づいて行われる構成とすることができる。
【００３８】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３９】
【図１】本発明の一実施例に係る無線機の構成例を示す図である。
【図２】無線システムの一例を示す図である。
【図３】（ａ）は同期バーストのフレームの構成例を示す図であり、（ｂ）は通信チャネルのフレームの構成例を示す図である。
【図４】通信時におけるフレームの送出順序の一例を示す図である。
【図５】無線機の一例を示す図である。
【図６】ＶＣＴＣＸＯの制御電圧と出力周波数との関係の一例を示す図である。
【図７】ＶＣＴＣＸＯの経年変化の一例を示す図である。
【符号の説明】
【００４０】
１Ａ、１Ｂ、１Ｃ・・無線機、  １０１・・カウンタ、  １０２・・時刻変換処理部、  １０３・・ＧＰＳ、  １０４・・差分計算処理部、  １０５・・補正制御部、  １０６・・誤差変換処理部、  １０７・・バッテリー、  ２０１・・ＶＣＴＣＸＯ、  ２０２・・タイミング生成部、  ２０３・・高周波部、  ２０４・・ベースバンド処理部、  ２０５・・送受信アンテナ、  ２０６・・制御値記憶部、  ２０７・・ＤＡＣ、
【図１】
2008278422.tif 000003
【図２】
2008278422.tif 000004
【図３】
2008278422.tif 000005
【図４】
2008278422.tif 000006
【図５】
2008278422.tif 000007
【図６】
2008278422.tif 000008
【図７】
2008278422.tif 000009